(57)【特許請求の範囲】
【請求項１】
洗濯槽と、
上記洗濯槽内の洗濯物を撹拌する撹拌部と、
上記洗濯槽内に水を供給する給水部と、
上記洗濯槽内に芳香成分を含む柔軟剤または芳香剤を投入するための投入部と、
上記撹拌部と上記給水部および上記投入部を制御する制御装置と
を備え、
上記制御装置は、
少なくとも排水と脱水運転と給水と第１撹拌運転と浸け置きおよび第２撹拌運転が順に行われるすすぎ工程において、上記給水部による給水時に上記投入部から上記芳香成分を含む柔軟剤または上記芳香剤を投入し、上記第１撹拌運転時に上記撹拌部を断続回転し、上記浸け置きとして設定された浸け置き時間の間は上記撹拌部を停止または十秒以上の停止期間を有した間欠動作として上記芳香成分を洗濯物に含ませることを特徴とする洗濯機。
【請求項２】
請求項１に記載の洗濯機において、
上記すすぎ工程の上記脱水運転の時間が、上記浸け置き期間を設けない標準コースにおけるすすぎ工程の脱水運転の時間よりも長いことを特徴とする洗濯機。
【請求項３】
請求項１または２記載の洗濯機において、
上記すすぎ工程は、複数回行われ、
上記複数のすすぎ工程のうちの最終のすすぎ工程において、上記撹拌運転前または上記撹拌運転の途中に、上記芳香成分を洗濯物に含ませるための浸け置き期間を設けると共に、
上記複数のすすぎ工程のうちの上記最終のすすぎ工程を除く他の上記すすぎ工程において、上記撹拌運転の時間が、上記浸け置き期間を設けない標準コースにおけるすすぎ工程の撹拌運転の時間よりも長いことを特徴とする洗濯機。
【発明の詳細な説明】
【技術分野】
【０００１】
この発明は、洗濯機に関する。
【背景技術】
【０００２】
従来、洗濯機としては、芳香作用を有する柔軟剤を洗濯槽内に投入して、洗濯物の香り付け行うものがある(例えば、特開２０１３−１４１５５１号公報(特許文献１)参照)。
【先行技術文献】
【特許文献】
【０００３】
【特許文献１】特開２０１３−１４１５５１号公報
【発明の概要】
【発明が解決しようとする課題】
【０００４】
ところで、上記洗濯機では、芳香作用を有する柔軟剤を投入した後、短時間で柔軟剤を含んだ洗濯水を排水してしまうため、洗濯物に対する柔軟剤の接触時間が短くなり、柔軟剤による香り付けが充分にできないという問題がある。
【０００５】
そこで、この発明の課題は、洗濯物に対する香り付けを効果的に行うことができる洗濯機を提供することにある。
【課題を解決するための手段】
【０００６】
上記課題を解決するため、この発明の洗濯機は、
洗濯槽と、
上記洗濯槽内の洗濯物を撹拌する撹拌部と、
上記洗濯槽内に水を供給する給水部と、
上記洗濯槽内に芳香成分を含む柔軟剤または芳香剤を投入するための投入部と、
上記撹拌部と上記給水部および上記投入部を制御する制御装置と
を備え、
上記制御装置は、
少なくとも排水と脱水運転と給水と第１撹拌運転と浸け置きおよび第２撹拌運転が順に行われるすすぎ工程において、上記給水部による給水時に上記投入部から上記芳香成分を含む柔軟剤または上記芳香剤を投入し、上記第１撹拌運転時に上記撹拌部を断続回転し、上記浸け置きとして設定された浸け置き時間の間は上記撹拌部を停止または十秒以上の停止期間を有した間欠動作として上記芳香成分を洗濯物に含ませることを特徴とする。
【０００７】
また、一実施形態の洗濯機では、
上記すすぎ工程の上記脱水運転の時間が、上記浸け置き期間を設けない標準コースにおけるすすぎ工程の脱水運転の時間よりも長い。
【０００８】
また、一実施形態の洗濯機では、
上記すすぎ工程は、複数回行われ、
上記複数のすすぎ工程のうちの最終のすすぎ工程において、上記撹拌運転前または上記撹拌運転の途中に、上記芳香成分を洗濯物に含ませるための浸け置き期間を設けると共に、
上記複数のすすぎ工程のうちの上記最終のすすぎ工程を除く他の上記すすぎ工程において、上記撹拌運転の時間が、上記浸け置き期間を設けない標準コースにおけるすすぎ工程の撹拌運転の時間よりも長い。
【０００９】
【００１０】
【発明の効果】
【００１１】
以上より明らかなように、この発明によれば、すすぎ工程において、給水時に芳香成分を含む柔軟剤(または芳香剤)を投入した後の撹拌運転前または撹拌運転の途中に、芳香成分を洗濯物に含ませるための浸け置き期間を設けたことによって、洗濯物に対する香り付けを効果的に行うことができる洗濯機を実現することができる。
【図面の簡単な説明】
【００１２】
【図１】図１はこの発明の第１実施形態の縦型の洗濯機の外観を示す斜視図である。
【図２】図２は上記洗濯機を側方から見た縦断面図である。
【図３】図３は上記洗濯機の制御ブロック図である。
【図４】図４は上記洗濯機の操作表示部の上面図である。
【図５】図５は上記洗濯機の各工程を示す図である。
【発明を実施するための形態】
【００１３】
以下、この発明の洗濯機を図示の実施の形態により詳細に説明する。
【００１４】
〔第１実施形態〕
図１はこの発明の第１実施形態の縦型の洗濯機の外観を示す斜視図を示している。
【００１５】
この第１実施形態の洗濯機は、図１に示すように、金属または合成樹脂製の本体ケーシング１と、水槽２と、洗濯槽３(図２に示す)と、洗濯槽３の開口を開閉する上蓋４と、本体ケーシング１の上面に運転動作を選択指示入力すると共に運転状態を表示する操作表示部５とを備える。
【００１６】
また、図２は上記洗濯機を側方から見た縦断面図を示している。
【００１７】
この洗濯機は、図２に示すように、金属または合成樹脂製の本体ケーシング１を備えている。本体ケーシング１は直方体形状に成形され、その上面および底面は開口部となっている。本体ケーシング１の上面開口部には操作表示部５等が設けられた合成樹脂製の上面板１１が固定されている。本体ケーシング１の底面開口部には、合成樹脂製のベース１２が固定されている。
【００１８】
上記洗濯機内に洗濯物を投入するための洗濯物投入口１ａを上面板１１に設けている。その洗濯物投入口１ａを開閉する上蓋４を、洗濯機の奧側で上面板１１に回動可能に支持している。上蓋４を上下に回動させて洗濯物投入口１ａを開閉する。
【００１９】
また、本体ケーシング１内には、洗濯槽３とその洗濯槽３を収納する水槽２を収容している。洗濯槽３は、洗剤を溶かした水またはすすぎ用の水を溜める。水槽２および洗濯槽３は、上側が開口した有底筒状のカップの形状をしており、各々中心軸を垂直にして、水槽２を外側とし、洗濯槽３を内側とする形で同軸に配置されている。
【００２０】
洗濯槽３の上部開口部の縁に、洗濯物の脱水のために洗濯槽３を高速回転させたときに振動を抑制する働きをする環状のバランサ４０を装着している。洗濯槽３内の底面に撹拌翼２０を回転可能に配置している。この撹拌翼２０は撹拌部の一例である。
【００２１】
また、本体ケーシング１内の水槽２の下側に、クラッチ・ブレーキ機構３１と駆動モータ３２とを有する駆動ユニット３０を取り付けている。このクラッチ・ブレーキ機構３１の回転軸３１ａの先端に撹拌翼２０を取り付けている。
【００２２】
上記洗濯機は、本体ケーシング１内の上側かつ後面側に配置された洗剤および柔軟剤を収容する収容部６を備えている。この収容部６は、投入部の一例である。
【００２３】
また、本体ケーシング１内の収容部６近傍に、送風部３３(図３に示す)を配置している。
【００２４】
また、図３は上記洗濯機の制御ブロック図を示しており、この洗濯機は、図３に示すように、マイクロコンピュータおよび入出力回路などからなる制御装置１００を備えている。
【００２５】
上記制御装置１００は、操作部５ａと表示部５ｂを有する操作表示部５と、洗濯槽３内の水位を検出する水位センサ２１と、上蓋４の開閉を検出する開閉センサ２２と、洗濯槽３と撹拌翼(図示せず)を回転させるためのクラッチ・ブレーキ機構３１と、クラッチ・ブレーキ機構３１を駆動する駆動モータ３２と、送風部３３と、送風部３３の送風ファン(図示せず)を駆動する送風ファン用モータ３４と、外部から水道水などを供給する給水配管(図示せず)を開閉する給水弁８０と、洗濯槽３内の洗濯水を外部に排水する排水配管(図示せず)を開閉する排水弁９０が接続されている。上記給水配管と給水弁８０で給水部を構成している。
【００２６】
この制御装置１００は、操作表示部５の操作部５ａからの操作信号および水位センサ２１,開閉センサ２２からの検出信号に基づいて、操作表示部５の表示部５ｂと送風ファン用モータ３４と駆動モータ３２と給水弁８０および排水弁９０などを制御する。
【００２７】
また、図４は上記洗濯機の操作表示部５の上面図を示している。この操作表示部５は、図４に示すように、図中右上側に設けられた「電源」用の押ボタン８(下側に「ON/OFF」表記)と、その押ボタン８の下側に設けられ「スタート」用の押ボタン７(下側に「一時停止」表記)を有する。また、操作表示部５は、略中央の円形領域に設けられたコース選択部５０を有している。
【００２８】
コース選択部５０は、図中右側にコース表示部５１と、そのコース表示部５１の下側に設けられた「コース」用の押ボタン５２と、中央に設けられた２桁の数字表示部５３と、その数字表示部５３の上側に設けられた「残り」,「予約」「浸け置き」の時間種別表示部５４を有する。さらに、コース選択部５０は、図中左側の上側から下側に向かって「送風」,「脱水」,「すすぎ」,「洗い」,「水位」を夫々設定する押ボタン５５〜５９を有する。
【００２９】
コース表示部５１は、「標準」,「強力」,「エコ」,「スピード」,「チャイルドケア」,「デリケート」,「毛布」,「槽洗浄」のうちの選択された１つのコースが点灯する。ここで、「コース」用の押ボタン５２を操作する度に「標準」,「強力」,「エコ」,「スピード」,「チャイルドケア」,「デリケート」,「毛布」,「槽洗浄」のコースが順に選択され、「槽洗浄」の次に押ボタン５２が操作されると、「標準」のコースに戻る。
【００３０】
数字表示部５３は、運転中の残時間を表示したり、予約時間を表示したり、浸け置き時間を表示したりする。
【００３１】
また、コース選択部５０の「送風」,「脱水」,「すすぎ」,「洗い」,「水位」用の押ボタン５５〜５９は、各工程を個別に設定して洗濯を行う場合に使用される。
【００３２】
また、操作表示部５の図中左下側には、右側から左側に向かって「ソフナー」,「浸け置き」,「予約」について夫々設定する押ボタン６０〜６２を有する。「ソフナー」用の押ボタン６０を１回操作すると柔軟仕上げモード(ソフナーモード)が設定され、次に１回操作すると柔軟仕上げモード(ソフナーモード)の設定が解除され、操作の度に設定と解除が繰り返される。また、「浸け置き」用の押ボタン６１を操作する度に浸け置き時間が初期値(例えば５分)から順に増大して、浸け置き時間が最大値(例えば２０分)になると、次の操作で初期値に戻って繰り返される。また、「予約」用の押ボタン６１を操作する度に運転終了までの時間が初期値(例えば１時間)から１時間毎に増大して、運転終了までの時間が最大値(例えば２４時間)になると、次の操作で初期値に戻って繰り返される。
【００３３】
上記押ボタン７,８と押ボタン５２と押ボタン５５〜５９および押ボタン６０〜６２で操作部５ａを構成している。また、コース表示部５１と時間種別表示部５４および各押しボタンの表示用ＬＥＤにより表示部５ｂを構成している。
【００３４】
上記構成の洗濯機において、芳香成分を含む柔軟剤を用いた洗濯運転を行う場合、「電源」用の押ボタン８を操作して、洗濯機本体の電源を入れた後、例えば、「コース」用の押ボタン５２の操作により複数のコースの中から標準コースを選択し、さらに押ボタン６０を操作して、「ソフナー」すなわち柔軟仕上げモードに設定する。
【００３５】
ここで、洗濯機の洗濯槽３内に洗濯物を入れ、洗濯機の収容部６(図２に示す)に洗剤および柔軟剤を投入する。この収容部６は、洗剤が収容される収容部分と、柔軟剤が収容される収容部分を有する。
【００３６】
ここで、柔軟剤収容部に芳香成分を含む柔軟剤を投入したが、芳香剤を用いても良い。例えば、押ボタン６０の表記を「フレグランス」として、芳香剤を投入する芳香促進モードとしてもよい。
【００３７】
そして、操作表示部５の「スタート」用の押ボタン７を操作すると、柔軟仕上げモードで標準コースの洗濯が行われる。
【００３８】
図５は上記柔軟仕上げモードで行われる標準コースの各工程を示している。この柔軟仕上げモードでの標準コースは、図５に示すように、「洗い工程」,「第１すすぎ工程」,「第２すすぎ工程」,「脱水工程」を有する。
【００３９】
＜洗い工程＞
上記制御装置１００は、＜洗い工程＞において、次の[給水]〜[バランス]を順に行う。
【００４０】
[給水]：給水弁８０を開いて洗濯槽３内に水を供給する共に、収容部６からの洗剤を投入する。
「なじませ」：給水完了後の所定時間、洗濯水(洗剤が溶けた水)を洗濯物に充分含ませる撹拌運転を行う(例えば撹拌翼２０の回転を１秒毎にオンオフ)。
[主水流]：駆動モータ３２により撹拌翼２０を駆動して洗濯槽３内の洗濯物を撹拌する撹拌運転を行う。
[バランス]：洗濯槽３内の洗濯物の偏りをなくす(例えば撹拌翼２０の回転を０．２秒毎にオンオフ)。
【００４１】
＜第１すすぎ工程＞
また、上記制御装置１００は、＜第１すすぎ工程＞において、次の[排水]〜[バランス]を順に行う。
【００４２】
[排水]：排水弁９０を開いて洗濯槽３内の洗濯水を排水する。
[低速]：排水完了後に洗濯槽３を低速で回転させて脱水する。
[高速]：洗濯槽３を高速で回転させて脱水する。
[慣性]：高速で回転させた後に洗濯槽３をそのまま慣性運動により回転させる。
[給水]：給水弁８０を開いて洗濯槽３内にすすぎ用の水を供給する。
[なじませI]：給水後の所定時間、すすぎ水を洗濯物に充分含ませる撹拌運転を行う(撹拌翼２０の回転を所定のデューティでオンオフする)。
[なじませII]：所定時間、すすぎ水を洗濯物に充分含ませる撹拌運転を行う(撹拌翼２０の回転を所定のデューティでオンオフする)。
[主水流]：駆動モータ３２により撹拌翼２０を駆動して洗濯槽３内の洗濯物を撹拌運転を行って、すすぎを促進する(撹拌翼２０の回転を所定のデューティでオンオフする)。
[バランス]：洗濯槽３内の洗濯物の偏りをなくす(例えば撹拌翼２０の回転を０．２秒毎にオンオフ)。
【００４３】
なお、上記[なじませI],[なじませII],[主水流]では、夫々撹拌翼２０の回転をオンオフするデューティが異なる。
【００４４】
この柔軟仕上げモードが設定された標準コースでは、[なじませI],[なじませII],[主水流]による撹拌運転の合計時間Ｔ１が、柔軟仕上げモードが設定されていない通常の標準コース(すなわち浸け置き期間を設けない標準コース)のときの＜第１すすぎ工程＞の撹拌運転の合計時間よりも長く設定している。例えば、[なじませI],[なじませII],[主水流]のうちの少なくとも１つの撹拌運転時間を長くする。
【００４５】
これにより、すすぎ効果を高めて洗剤の残留分を低減でき、香り付け効果を向上できる。
【００４６】
＜第２すすぎ工程＞
また、上記制御装置１００は、＜第２すすぎ工程＞において、次の[排水]〜[バランス]を順に行う。
【００４７】
[排水]：排水弁９０を開いて洗濯槽３内の洗濯水を排水する。
[低速]：排水完了後に洗濯槽３を低速で回転させて脱水する。
[高速]：洗濯槽３を高速で回転させて脱水する。
[慣性]：高速で回転させた後に洗濯槽３をそのまま慣性運動により回転させる。
[給水]：給水弁８０を開いて洗濯槽３内にすすぎ用の水を供給すると共に、収容部６からの柔軟剤を投入する。
[なじませI]：給水後の所定時間、すすぎ水を洗濯物に充分含ませる撹拌運転を行う(撹拌翼２０の回転を所定のデューティでオンオフする)。
[なじませII]：所定時間、すすぎ水を洗濯物に充分含ませる撹拌運転を行う(撹拌翼２０の回転を所定のデューティでオンオフする)。
[つけおき]：所定時間(例えば１５分〜２０分)、柔軟剤を含むすすぎ水に洗濯物を浸け置きする。
[主水流]：駆動モータ３２により撹拌翼２０を駆動して洗濯槽３内の洗濯物を撹拌する撹拌運転を行って、すすぎを促進する(撹拌翼２０の回転を所定のデューティでオンオフする)。
[バランス]：洗濯槽３内の洗濯物の偏りをなくす(例えば撹拌翼２０の回転を０．２秒毎にオンオフ)。
【００４８】
なお、上記[なじませI],[なじませII],[主水流]では、夫々撹拌翼２０の回転をオンオフするデューティが異なる。
【００４９】
この柔軟仕上げモードが設定された標準コースでは、上記[低速],[高速]による脱水運転の合計時間Ｔ２が、柔軟仕上げモードが設定されていない通常の標準コース(すなわち浸け置き期間を設けない標準コース)のときの＜第１すすぎ工程＞の脱水運転の合計時間よりも長く設定している。例えば、[低速],[高速]のうちの少なくとも一方の撹拌運転時間を長くする。
【００５０】
これにより、すすぎ効果を高めて洗剤の残留分を低減でき、香り付け効果を向上できる。
【００５１】
また、この＜第２すすぎ工程＞の[なじませI],[なじませII]は、第１撹拌運転の一例であり、＜第２すすぎ工程＞の[主水流]は、第２撹拌運転の一例である。
【００５２】
＜脱水工程＞
また、上記制御装置１００は、＜脱水工程＞において、次の[排水]〜[慣性]を順に行う。
【００５３】
[排水]：排水弁９０を開いて洗濯槽３内のすすぎ水を排水する。
[低速]：排水完了後に洗濯槽３を低速(例えば５００ｒｐｍ)で回転させて脱水する。
[高速]：洗濯槽３を高速(例えば９００ｒｐｍ)で回転させて脱水する。
[慣性]：高速で回転させた後に洗濯槽３をそのまま慣性運動により回転させる。
【００５４】
上記構成の洗濯機によれば、＜第２すすぎ工程＞において、[給水]時に芳香成分を含む柔軟剤(または芳香剤)を投入した後の撹拌運転([なじませI],[なじませII],[主水流])の途中に、芳香成分を洗濯物に含ませるための浸け置き期間([つけおき])を設けたことによって、洗濯物に対する香り付けを効果的に行うことができる。
【００５５】
また、[給水]時に芳香成分を含む柔軟剤を投入した場合は、洗濯物に対する香り付けと柔軟剤の効果を最大限に高めることができる。
【００５６】
上記＜第２すすぎ工程＞の脱水運転([低速],[高速])の時間を、上記浸け置き期間を設けない標準コースにおける＜第２すすぎ工程＞の脱水運転の時間よりも長くすることによって、芳香成分を含む柔軟剤(または芳香剤)を投入する給水前に、洗濯物に含まれる洗剤成分を充分に落とすことで、香り付け効果を向上できる。
【００５７】
また、上記＜第２すすぎ工程＞において、撹拌運転([なじませI],[なじませII],[主水流])の時間を、上記浸け置き期間を設けない標準コースにおける＜第１すすぎ工程＞の撹拌運転([なじませI],[なじませII],[主水流])の時間よりも長くすることによって、芳香成分を含む柔軟剤(または芳香剤)を投入する給水前に、洗濯物に含まれる洗剤成分を充分に落とすことで、香り付け効果を向上できる。
【００５８】
また、上記芳香成分を含む柔軟剤(または芳香剤)を投入した時点から浸け置き期間の開始点までの間に第１撹拌運転([なじませI],[なじませII])を行うことにより、浸け置き期間前に芳香成分を含む柔軟剤(または芳香剤)を撹拌でき、浸け置き期間での洗濯物に対する香り付け効果を均一にすることができる。
【００５９】
〔第２実施形態〕
この発明の第２実施形態の縦型の洗濯機は、＜第２すすぎ工程＞の浸け置き期間の動作を除いて第１実施形態の縦型の洗濯機と同一の構成をしている。
【００６０】
この第２実施形態の縦型の洗濯機では、＜第２すすぎ工程＞の浸け置き期間において、間欠的に撹拌翼２０を回転させて洗濯槽内の洗濯物を撹拌する(例えば、何十秒毎に１回、撹拌翼２０の回転させる)。これよって、芳香成分を均一に分布させて、香り付け効果を均一にできる。また、浸け置き期間中に完全に停止した状態よりも、運転中であることをユーザーが容易に分かるようにできる。
【００６１】
〔第３実施形態〕
この発明の第３実施形態の縦型の洗濯機は、すすぎ工程を除いて第１実施形態の縦型の洗濯機と同一の構成をしている。
【００６２】
この第２実施形態の縦型の洗濯機では、３以上のすすぎ工程を有する点で第１実施形態の縦型の洗濯機と異なる。
【００６３】
上記洗濯機では、３以上のすすぎ工程のうちの最終のすすぎ工程において、撹拌運転([なじませI],[なじませII],[主水流])前またはその撹拌運転の途中に、芳香成分を洗濯物に含ませるための浸け置き期間([つけおき])を設けている。
【００６４】
そして、上記最終のすすぎ工程を除く他のすすぎ工程において、撹拌運転([なじませI],[なじませII],[主水流])の時間が、浸け置き期間を設けない標準コースにおけるすすぎ工程の撹拌運転([なじませI],[なじませII],[主水流])の時間よりも長い。
【００６５】
〔第４実施形態〕
第４実施形態では、芳香成分を含む柔軟剤を用いた洗濯運転を行う場合、「電源」用の押ボタン８を操作して、洗濯機本体の電源を入れた後、「ソフナー」用の押ボタン６０を押圧する操作を行うと、標準コースかつ柔軟仕上げモード(芳香促進モード)の設定が行われる。このようにすることで、前述したような、「コース」用の押ボタン５２の操作により複数のコースの中から標準コースを選択し、さらに押ボタン６０を操作して、「ソフナー」すなわち柔軟仕上げモード(芳香促進モード)に設定するという手間がかかった運転設定を、「ソフナー」用の押ボタン６０を押圧する操作を一回するだけで運転設定できる。すなわち、単一のボタンである「ソフナー」用の押ボタン６０を押圧するだけとなるので操作使用者の操作を簡略化できる。
【００６６】
なお、第４実施形態では、「ソフナー」用の押ボタン６０を押圧する操作を行うと、標準コースかつ柔軟仕上げモード(芳香促進モード)の設定が行われるが、別の組み合わせ、例えば、デリケートコースかつ柔軟仕上げモード(芳香促進モード)や、強力コースかつ柔軟仕上げモード(芳香促進モード)であってもよい。
【００６７】
〔第５実施形態〕
第５実施形態では、第４実施形態において、「ソフナー」用の押ボタン６０に代えて、コース表示部５１に「ソフナー(フレグランス)」コースを設けたものである。この場合、「コース」用の押ボタン５２を操作して、「ソフナー(フレグランス)」コースを選択すると、標準コースかつ柔軟仕上げモード(芳香促進モード)の設定が行われる。このようにすることで、第４実施形態の「ソフナー」用の押ボタン６０を廃止することできるので、スイッチなどの部品が不要となり、コストダウンを行うことができる。なお、この第５実施形態では、「ソフナー(フレグランス)」コースを選択すると、標準コースかつ柔軟仕上げモード(芳香促進モード)の設定が行われるが、別の組み合わせ、例えば、デリケートコースかつ柔軟仕上げモード(芳香促進モード)や、強力コースかつ柔軟仕上げモード(芳香促進モード)であってもよい。あるいは、標準コースかつ柔軟仕上げモード(芳香促進モード)の設定するための「標準ソフナー(フレグランス)」コース、デリケートコースかつ柔軟仕上げモード(芳香促進モード)の設定するための「デリケートソフナー(フレグランス)」コースのように複数の「ソフナー(フレグランス)」コースを設けてもよい。
【００６８】
上記第１〜第５実施形態では、洗濯物に対する香り付けを十分に行いたい場合は、柔軟仕上げモード(芳香促進モード)を選択し、洗濯物に対する香り付けが今まで通りで十分の場合は、柔軟仕上げモード(芳香促進モード)を選択しないというように、使用者のニーズに応じて使い分けが可能な洗濯機を実現できる。
【００６９】
上記第１〜第５実施形態では、縦型の洗濯機について説明したが、ドラム式洗濯機にこの発明を適用してもよい。
【００７０】
また、上記第１〜第５実施形態では、芳香成分を含む柔軟剤または芳香剤による浸け置きをする洗濯機について説明したが、例えば、銀イオンなどによる浸け置きをする洗濯機にこの発明を適用してもよい。
【００７１】
この発明の具体的な実施の形態について説明したが、この発明は上記第１〜第５実施形態に限定されるものではなく、この発明の範囲内で種々変更して実施することができる。
【００７２】
例えば、操作表示部を液晶タッチパネルとしてもよい。この場合、「電源」用の押ボタン８は、液晶タッチパネルには含まないようにする。タッチパネルに含んでしまうと、使用しない時は、液晶パネルのバックライトは消灯されるが、常に待機状態となり、待機電力が必要となるためである。「電源」用の押ボタン８を物理的ボタンとして残すことで、使用時のみ電源投入が可能となり、省エネルギー化が図れる。
【００７３】
この発明および実施形態をまとめると、次のようになる。
【００７４】
この発明の洗濯機は、
洗濯槽３と、
上記洗濯槽３内の洗濯物を撹拌する撹拌部２０と、
上記洗濯槽３内に水を供給する給水部８０と、
上記洗濯槽３内に芳香成分を含む柔軟剤または芳香剤を投入するための投入部６と、
上記撹拌部２０と上記給水部８０および上記投入部６を制御する制御装置１００と
を備え、
上記制御装置１００は、
少なくとも排水と脱水運転と給水および撹拌運転が順に行われるすすぎ工程において、上記給水部８０による給水時に上記投入部６から上記芳香成分を含む柔軟剤または上記芳香剤を投入した後、上記撹拌運転前または上記撹拌運転の途中に、上記芳香成分を洗濯物に含ませるための浸け置き期間を設けたことを特徴とする。
【００７５】
上記構成によれば、すすぎ工程において、給水時に芳香成分を含む柔軟剤(または芳香剤)を投入した後の撹拌運転前または撹拌運転の途中に、芳香成分を洗濯物に含ませるための浸け置き期間を設けたことによって、洗濯物に対する香り付けを効果的に行うことができる。
【００７６】
また、給水時に芳香成分を含む柔軟剤を投入した場合は、洗濯物に対する香り付けと柔軟剤の効果を最大限に高めることができる。
【００７７】
また、一実施形態の洗濯機では、
上記すすぎ工程の上記脱水運転の時間が、上記浸け置き期間を設けない標準コースにおけるすすぎ工程の脱水運転の時間よりも長い。
【００７８】
上記実施形態によれば、すすぎ工程の脱水運転の時間を、上記浸け置き期間を設けない標準コースにおけるすすぎ工程の脱水運転の時間よりも長くすることによって、芳香成分を含む柔軟剤(または芳香剤)を投入する給水前に、洗濯物に含まれる洗剤成分を充分に落とすことで、香り付け効果を向上できる。
【００７９】
また、一実施形態の洗濯機では、
上記すすぎ工程は、複数回行われ、
上記複数のすすぎ工程のうちの最終のすすぎ工程において、上記撹拌運転前または上記撹拌運転の途中に、上記芳香成分を洗濯物に含ませるための浸け置き期間を設けると共に、
上記複数のすすぎ工程のうちの上記最終のすすぎ工程を除く他の上記すすぎ工程において、上記撹拌運転の時間が、上記浸け置き期間を設けない標準コースにおけるすすぎ工程の撹拌運転の時間よりも長い。
【００８０】
上記実施形態によれば、複数のすすぎ工程のうちの最終のすすぎ工程を除く他のすすぎ工程において、撹拌運転の時間を、上記浸け置き期間を設けない標準コースにおけるすすぎ工程の撹拌運転の時間よりも長くすることによって、芳香成分を含む柔軟剤(または芳香剤)を投入する給水前に、洗濯物に含まれる洗剤成分を充分に落とすことで、香り付け効果を向上できる。
【００８１】
また、一実施形態の洗濯機では、
上記すすぎ工程の上記浸け置き期間において、上記撹拌部２０を間欠的に動作させて上記洗濯槽３内の洗濯物を撹拌する。
【００８２】
上記実施形態によれば、すすぎ工程の浸け置き期間において、間欠的に撹拌部２０を回転させて洗濯槽３内の洗濯物を撹拌することによって、芳香成分を均一に分布させて、香り付け効果を均一にできる。また、浸け置き期間中に完全に停止した状態よりも、運転中であることをユーザーが容易に分かるようにできる。
【００８３】
また、一実施形態の洗濯機では、
上記すすぎ工程の上記撹拌運転は、
上記芳香成分を含む柔軟剤または上記芳香剤を投入した時点から上記浸け置き期間の開始点までの間に行われる第１撹拌運転と、上記浸け置き期間の終了後に行われる第２撹拌運転とを有する。
【００８４】
上記実施形態によれば、すすぎ工程において、芳香成分を含む柔軟剤(または芳香剤)を投入した時点から浸け置き期間の開始点までの間に第１撹拌運転を行うことにより、浸け置き期間前に芳香成分を含む柔軟剤(または芳香剤)を撹拌でき、浸け置き期間での洗濯物に対する香り付け効果を均一にすることができる。
【符号の説明】
【００８５】
１…本体ケーシング
１ａ…洗濯物投入口
２…水槽
３…洗濯槽
４…上蓋
５…操作表示部
６…収容部
１１…上面板
１２…ベース
２１…水位センサ
２２…開閉センサ
３０…駆動ユニット
３１…クラッチ・ブレーキ機構
３１ａ…回転軸
３２…駆動モータ
３３…送風部
３４…送風ファン用モータ
４０…バランサ
８０…給水弁
９０…排水弁
１００…制御装置
【図１】
0006748405.tif 000002
【図２】
0006748405.tif 000003
【図３】
0006748405.tif 000004
【図４】
0006748405.tif 000005
【図５】
0006748405.tif 000006